(57)【要約】【課題】播種装置と施肥装置の下方に播種溝と施肥溝を形成する作溝器を設け、耕耘した後に設定深さに播種した上で、複数条の播種と施肥を連続的に行う側条施肥方式による播種が知られているが、圃場の水分が多い場合には、各ディスクへの土の付着が著しくなり、ディスクの作溝能力が低下するばかりか、極端な場合には、溝に土が大きな塊状となって溜まり、溝が形成できなくなる、という問題があった。【解決手段】両ディスク対２９・３１のうち少なくとも一方のディスク対の内部空間に、ディスクの横側面に押圧して土等を機械的に掻き落とすディスク間スクレーパ８９・９４を配設し、更に、ディスク対２９・３１の間に設けた保護部材２８により、施肥ディスク間スクレーパ９４を支持可能な構成とした。【選択図】      図１１
2004298028.tif 000002
【特許請求の範囲】
【請求項１】
播種装置と施肥装置を設け、該播種装置と施肥装置の下方に、播種溝と施肥溝を形成する作溝器として、前端を閉じたＶ字状の播種用のディスク対と施肥用のディスク対とを並設した施肥播種機において、両ディスク対のうち少なくとも一方のディスク対の内部空間に、ディスクの横側面に押圧して土、株、藁等を機械的に掻き落とすディスク間スクレーパを配設したことを特徴とする施肥播種機。
【請求項２】
前記ディスク対の間には、土塊や根株等を外に誘導する保護部材を設け、該保護部材により、前記ディスク間スクレーパを支持可能な構成とすることを特徴とする請求項１記載の施肥播種機。
【請求項３】
前記ディスク対の間には、土塊や根株等を外に誘導する保護部材と共にセンタースクレーパを設け、該保護部材により、センタースクレーパを支持可能な構成とすることを特徴とする請求項１又は請求項２記載の施肥播種機。
【請求項４】
前記各スクレーパがディスク側面に接する接触辺は、該接触辺を通るディスク半径に対し、後ろ斜め上方に傾斜する構成とすることを特徴とする請求項１乃至請求項３のうちのいずれか一つに記載の施肥播種機。
【請求項５】
前記施肥溝には、肥料の代わりに種子を投入可能な構成とすることを特徴とする請求項１乃至請求項４のうちのいずれか一つに記載の施肥播種機。
【発明の詳細な説明】
【０００１】
【発明の属する技術分野】
本発明は、穀物、大豆、野菜等の収穫を行った圃場を耕耘した後に、種子を直接に播種すると同時に施肥する技術に関し、特に、側条施肥播種や密条播種を行うための種子あるいは肥料を投入する溝を掘削する技術に関する。
【０００２】
【従来の技術】
トラクタ等の走行車両の後部にロータリ耕耘装置や施肥播種機を取り付け、土に肥料を混ぜながら種子を覆土する覆土施肥方式では、種子と肥料の位置を制御できないために肥料障害の問題があった。そこで、播種装置と施肥装置の下方に播種溝と施肥溝を形成する作溝器を設け、耕耘した後に設定深さに播種した上で、複数条の播種と施肥を連続的に行う側条施肥方式による播種が知られている。
【０００３】
特に、前端を閉じた２枚のディスクからなるＶ字状のディスク対を播種溝用と施肥溝用で設け、各溝への土の流入や、種子と施肥との混合を確実に防止しながら、掘削を行う作溝器が公知となっている（例えば、特許文献１参照。）。
【０００４】
【特許文献１】
特開２０００−３５４４０３号公報
【０００５】
【発明が解決しようとする課題】
しかし、圃場の水分が多い場合には、各ディスクへの土の付着が著しくなり、ディスクの作溝能力が低下するばかりか、極端な場合には、溝に土が大きな塊状となって溜まり、溝が形成できなくなる、という問題があった。
【０００６】
【課題を解決するための手段】
本発明の解決しようとする課題は以上の如くであり、次にこの課題を解決するための手段を説明する。
すなわち、請求項１においては、播種装置と施肥装置を設け、該播種装置と施肥装置の下方に、播種溝と施肥溝を形成する作溝器として、前端を閉じたＶ字状の播種用のディスク対と施肥用のディスク対とを並設した施肥播種機において、両ディスク対のうち少なくとも一方のディスク対の内部空間に、ディスクの横側面に押圧して土、株、藁等を機械的に掻き落とすディスク間スクレーパを配設したものである。
請求項２においては、前記ディスク対の間には、土塊や根株等を外に誘導する保護部材を設け、該保護部材により、前記ディスク間スクレーパを支持可能な構成とするものである。
請求項３においては、前記ディスク対の間には、土塊や根株等を外に誘導する保護部材と共にセンタースクレーパを設け、該保護部材により、センタースクレーパを支持可能な構成とするものである。
請求項４においては、前記各種スクレーパがディスク側面に接する接触辺は、該接触辺を通るディスク半径に対し、後ろ斜め上方に傾斜する構成とするものである。
請求項５においては、前記施肥溝には、肥料の代わりに種子を投入可能な構成とするものである。
【０００７】
【発明の実施の形態】
次に、本発明の実施例について説明する。
図１は本発明の施肥播種機をトラクタの後部に装着した状態の斜視図、図２は薬剤散布装置の側面図、図３は施肥播種装置の側面一部断面図、図４は接地輪の側面一部断面図、図５は各ディスク対の支持構成を示す平面図、図６は各ディスク対の配置構成を示す平面図、図７は播種ディスク対の内側のスクレーパの配置状況を示す側面図、図８はディスク対の間におけるスクレーパの配置状況を示す側面図、図９は施肥ディスク対の内側のスクレーパの配置状況を示す側面図、図１０は保護部材への各種スクレーパの支持構成を示す側面図、図１１はディスク対と各種スクレーパの配置関係を示す平面図、図１２は各種スクレーパの平面図、図１３は同じく背面図、図１４は播種側センタースクレーパの接触辺の傾斜姿勢を示す側面図、図１５は施肥側センタースクレーパの接触辺の傾斜姿勢を示す側面図、図１６は施肥ディスク間スクレーパの接触辺の傾斜姿勢を示す側面図、図１７は肥料のガイド部分の構成を示し、図１７（ａ）は該ガイド部分の側面図、図１７（ｂ）は同じく背面図、図１８は前後に施肥装置と播種装置を配設した配置構成を示す平面模式図、図１９は前後とも播種装置を配設した配置構成を示す平面模式図、図２０は播種装置の種子の搬送経路を分岐した場合の経路構成を示す平面模式図である。
【０００８】
まず、トラクタの後部に、本発明に係わる施肥播種機を装着した場合の全体構成について、図１により説明する。
トラクタ１の後部に設けた作業機装着装置に、ロータリ耕耘装置２を昇降自在に装着する。該ロータリ耕耘装置２のデプスフレーム４後部に施肥播種機３を装着するのである。該施肥播種機３はロータリ耕耘装置２と共に、トラクタ１の油圧装置により昇降自在とされている。
【０００９】
ロータリ耕耘装置２は、トラクタ１のＰＴＯ軸よりユニバーサルジョイント等を介して動力がギヤボックスに入力され、該ギヤボックスより伝動軸、チェーンケースを介して、ロータリ耕耘装置２下部に横架した爪軸６に動力が伝達されて回動駆動される。該爪軸６には、直刀、なた爪又は溝掘爪等の爪７が目的に応じて複数装着されている。
【００１０】
このうちの直刀の回転により、予め播種溝や施肥溝を形成する部分を掘削し、また、なた爪の回転により、耕耘幅内の表土近くを砕いて耕耘して耕耘砕土層を形成し、さらに必要に応じて、溝掘爪の回転により、深く掘り起こして排水溝を掘削して水はけを良くし、播種溝、施肥溝等への水たまりの発生を防止し、種子が発芽する前に腐敗するのを防ぐようにしている。
【００１１】
施肥播種機３の前部上方には、前記デプスフレーム４に支持された施肥装置８と薬剤散布装置９が配設され、該施肥装置８と薬剤散布装置９よりも下方には、播種装置１０、及び作溝器１１、覆土ディスク１２が上下揺動可能に配設されており、該作溝器１１の側部には除草剤や防虫剤等の薬剤を、各ディスクの間には肥料や種子を、前記施肥装置８、薬剤散布装置９、及び播種装置１０からそれそれ供給可能な構成としている。更に、前記覆土ディスク１２の後方には転動可能に鎮圧ローラ１３が横設されている。
【００１２】
なお、前記薬剤散布装置９、施肥装置８、播種装置１０並びに作溝器１１、覆土ディスク１２等（以下、「施肥播種ユニット１４」とする）は、いずれも１条ずつの単位で構成されており、それぞれを取外し可能にすると共に、隣接する施肥播種ユニット１４の間には、前記施肥装置８、薬剤散布装置９を駆動するための接地輪５が介設されている。
【００１３】
次に、施肥播種機３の詳細構成について、図１乃至図４、図７、図９、図１７により説明する。
図１、図３に示すように、前記デプスフレーム４後部の左右略中央部には、高さ及び角度を調節可能とするヒッチユニット７０が取り付けられ、該ヒッチユニット７０の後部にツールバー１８が横設され、該ツールバー１８に前記施肥播種ユニット１４と接地輪５とが並設され施肥播種機３を構成している。
【００１４】
このうちの施肥播種ユニット１４について説明する。
図１乃至図３に示すように、前記ツールバー１８に第一係止具４７と第二係止具４８が左右に着脱可能に並設され、そのうちの第一係止具４７の背面には、薬剤散布装置９の薬剤繰出装置９ｂが固定されている。該薬剤繰出装置９ｂの上部には薬剤ホッパー９ａを設けると共に、薬剤繰出装置９ｂの下部には、伸縮自在な連結パイプ９ｃを連通している。そして、該連結パイプ９ｃの下端部は、前記第１係止具４７から播種ディスク対２９の側方まで前斜め下方に延出された支持フレーム７１の取付リング７１ａに内挿され支持されており、前記薬剤繰出装置９ｂから送出される薬剤を、播種ディスク対２９の側方に散布できるようにしている。
【００１５】
図３、図９、図１７に示すように、第二係止具４８の背面には、施肥装置８の施肥繰出装置８ｂの前面が締結固定され、該施肥繰出装置８ｂの上部には肥料ホッパー８ａが設けられ、施肥繰出装置８ｂの下部は、蛇腹等で伸縮自在な中間パイプ８ｃを介し、施肥ディスク対３１の内側に設けられたロート状の施肥パイプ８ｄ上部に連通されており、前記施肥繰出装置８ｂから送出される肥料を、作溝器１１のうちの施肥ディスク対３１によって形成された施肥溝の中に、落下するようにしている。なお、施肥パイプ８ｄは、肥料が付着しにくい軟質部材等から構成されている。
【００１６】
図３、図７に示すように、第二係止具４８の下面には、平面視コ字状の固定具４９が外嵌固定され、該固定具４９の両側面には、上下に並設された連結アーム５０・５１の前部が、前高後低に回動可能に軸支され、該連結アーム５０・５１の後部には前取付フレーム２３が枢結されている。該前取付フレーム２３の後部には後取付フレーム２４が固設され、該後取付フレーム２４の上部には播種装置１０の種子繰出装置１０ｂが固設され、該種子繰出装置１０ｂの上部には種子ホッパ１０ａが設けられている。種子繰出装置１０ｂの下部は、播種パイプ１０ｃ上部に連通されており、前記種子繰出装置１０ｂから送出される種子を、作溝器１１のうちの播種ディスク対２９により形成された播種溝の中に落下するようにしている。
【００１７】
なお、前記連結アーム５０・５１の前後の支軸５１ａと支軸５０ａとの間にはバネ４３が介装されており、該バネ４３によって、前取付フレーム２３を介して作溝器１１や覆土ディスク１２を一定圧力で圃場面に押しつけ、施肥深さや播種深さの設定精度を高めるようにしている。
【００１８】
図１、図３に示すように、前記後取付フレーム２４の後部には、平面視Ａ字状のローラ支持フレーム７２の前部が固設され、該ローラ支持フレーム７２の後部は左右に分岐してローラ軸１３ｂを回動自在に支持すると共に、該ローラ軸１３ｂにはローラ１３ａが外嵌固定されている。そして、該ローラ１３ａの側部と前記後取付フレーム２４の側部との間には伝動ケース７３が配設されている。
【００１９】
また、接地輪５について説明する。
図３、図４に示すように、前記ツールバー１８上で前記第２係止具４８の側方には、第３係止具７４が配設され、該第３係止具７４の背面からは、支持フレーム７５が後方に延出されている。該支持フレーム７５の後部には、緩衝ピン７６の上部が上下摺動可能に挿通され、該緩衝ピン７６の下端は、前記支持フレーム７５の前後途中部から後ろ斜め下方に延設された伝動ケース７８の途中部に前後回動可能に軸支されている。
【００２０】
該伝動ケース７８の下部には車輪軸７９ａが回動可能に支持され、該車輪軸７９ａには、圃場表面を前方に回転する車輪７９が外嵌固定されている。そして、前記緩衝ピン７６の下端近傍にはストッパー７６ａが固定され、該ストッパー７６ａと前記支持フレーム７５後部との間に介設された前記緩衝ピン７６には、クッションバネ７７が外嵌されており、車輪７９を一定圧力で圃場面に押しつけ、たとえ圃場面に凹凸があっても確実に車輪７９が接地されて回転できるようにしている。
【００２１】
このような構成において、図１乃至図４に示すように、前記種子繰出装置１０ｂの駆動力は鎮圧ローラ１３から、前記施肥繰出装置８ｂと薬剤繰出装置９ｂの駆動力は接地輪５から伝達される。つまり、前記伝動ケース７３内の上部に設けたスプロケットには種子繰出装置１０ｂの入力軸８０が固設され、該入力軸８０は、チェーン８１を介して前記ローラ軸１３ｂに連結されている。これにより、施肥播種機３の進行に伴い鎮圧ローラ１３のローラ１３ａが回動すると、ローラ軸１３ｂに固設されたスプロケットが回動され、伝動ケース７３内のチェーン８１を介して前記入力軸８０が回転駆動される。
【００２２】
また、前記伝動ケース７８内の上部に設けたスプロケットには、施肥繰出装置８ｂと薬剤繰出装置９ｂに共通の入力軸８３が固設され、該入力軸８３は、チェーン８２を介して前記車輪軸７９ａに連結されている。これにより、施肥播種機３の進行に伴い接地輪５の車輪７９が回動すると、車輪軸７９ａに固設されたスプロケットが回動され、伝動ケース７８内の変速装置８４やチェーン８２を介して前記入力軸８３が駆動されるため、施肥繰出装置８ｂと薬剤繰出装置９ｂには一斉に同じ動力が伝達される構成となっている。なお、本実施例では、各繰出装置の駆動力を前記ローラ１３ａや車輪７９によって得るようにしているが、モーター等による駆動でもよく、特に限定されるものではない。
【００２３】
次に、播種ディスク対２９と施肥ディスク対３１の配置構成について、図３、図５、図６、図８により説明する。
図３、図５、図８に示すように、前記前取付フレーム２３の前面には、後方に開いた平面視コ字状の取付ステー２５を固設し、該取付ステー２５内には作溝器支持アーム２６を上下摺動可能に内挿する。さらに、該取付ステー２５には、ボルト４４を螺挿し、作溝器支持アーム２６を上下に摺動させた後にボルト４４を締め付け、所定高さに固定できるようにしている。
【００２４】
図６、図８に示すように、該作溝器支持アーム２６の下端には支持板２７を固設し、該支持板２７には施肥用のガイド軸８５と播種用のガイド軸８６とが左右両側に突出して軸支され、該施肥用ガイド軸８５により前記施肥ディスク対３１が、播種用ガイド軸８６により前記播種ディスク対２９が軸支される。
【００２５】
これら施肥ディスク対３１、播種ディスク対２９は、いずれも内側にガイドディスク３１ｂ・２９ｂを有し、該ガイドディスク３１ｂ・２９ｂは走行方向に対して平行又は後方に若干開いて配設され、両ディスク対の間には同一幅の通路が形成されるようにすると共に、前記ガイド軸８５・８６を中心に前方に回動可能としており、作溝時に発生した土が他方の溝に押し戻されずにそのまま後方へ誘導されるようにしている。更に、施肥ディスク対３１、播種ディスク対２９の外側には、それぞれ掘削を主に行う施肥作溝ディスク３１ａと播種作溝ディスク２９ａとが配設され、該施肥作溝ディスク３１ａと播種作溝ディスク２９ａは、施肥軸８７と播種軸８８により前方に回動可能としている。
【００２６】
なお、図５、図６、図８に示すように、前記前取付フレーム２３の下部からは、ロッド５４が側方に突出され、該ロッド５４端部からは覆土ディスク支持アーム４１が後方に突設され、該覆土ディスク支持アーム４１には覆土ディスク１２・１２が配設されており、施肥や播種が完了した直後に覆土できる構成となっている。
【００２７】
次に、このようなディスク対２９・３１の各ディスクの側面に固着する土、株、藁等を機械的に掻き落とすための各種スクレーパの構成について、図３、図７乃至１６により詳細に説明する。
図３、図８に示すように、前記取付ステー２５の下部より左右外方に、フレーム５５が突設され、該フレーム５５の左右側端からは、アウタースクレーパ４５・４５が、前記施肥作溝ディスク３１ａと播種作溝ディスク２９ａに沿って後斜め下方に向かって延出されている。そして、該アウタースクレーパ４５・４５の下辺は、各ディスクの外側面にアウタースクレーパ４５・４５自身の弾性によって押圧されており、施肥作溝ディスク３１ａと播種作溝ディスク２９ａの作溝作業中の回転を利用して、各ディスク３１ａ・２９ａの外側面に固着した土、薬剤等を、アウタースクレーパ４５・４５下辺により掻き落すようにしている。
【００２８】
ディスク対２９・３１の内側や、ディスク対２９・３１の間に配設する、本発明に係わるスクレーパは、以下のように構成している。
図７、図１１に示すように、前記播種パイプ１０ｃの下部は、断面視で前後に長径を有する楕円形状を呈して、前記播種ディスク対２９の内側に沿って下方に延出されている。そして、該楕円部の背面には、後方が開いた平面視コ字状の播種ディスク間スクレーパ８９がボルト９０により締結固定され、該播種ディスク間スクレーパ８９の左右のへら部８９ａ・８９ｂの各接触辺８９ｃ・８９ｄが、播種作溝ディスク２９ａの内側面とガイドディスク２９ｂの内側面にそれぞれ当接されている。
【００２９】
ここで、図８、図１０に示すように、前記支持板２７の前面には、側面視で略Ｌ字状の保護部材２８の前部がボルト９１・９１により締結固定されると共に、該保護部材２８の後部は、播種ディスク対２９と施肥ディスク対３１との間を、後ろ斜め上方に延出されている。これにより、作溝作業中にディスク対２９・３１の間を流れる土塊や根株等は、保護部材２８に沿って作溝器１１よりも後方に誘導されて排出されるようにしている。
【００３０】
このような保護部材２８には、図８乃至図１３に示すように、各種スクレーパが支持固定されている。
前記保護部材２８の後部には取付孔２８ａが前後に開口され、該取付孔２８ａ位置の下方には、背面視逆Ｌ字状の播種側センタースクレーパ９２と背面視略Ｖ字状の施肥側センタースクレーパ９３とが配設される。
【００３１】
センタースクレーパ９２・９３の保護部材２８への取付部には、左右方向に長径を有する長孔９２ａ・９３ａが前後に開口され、ボルト９５が該長孔９２ａ・９３ａと前記取付孔２８ａを通ってナット９７に螺挿され、センタースクレーパ９２・９３を保護部材２８に締結固定可能にすると共に、センタースクレーパ９２・９３の左右位置を適正位置にて固定できるようにしている。
【００３２】
このうちの播種側センタースクレーパ９２では、その左側部９２ｃの下辺が、接触辺９２ｂとして前記ガイドディスク２９ｂの右側面に当接されている。一方、施肥側センタースクレーパ９３では、左側部９３ｄと右側部９３ｅとの間の屈曲部には前方に開いたスリット９３ｆが形成され、該スリット９３ｆには前記ガイドディスク３１ｂ後部が内挿されると共に、スリット９３ｆの左右の接触辺９３ｂ・９３ｃがガイドディスク３１ｂの左右両側面に当接されている。
【００３３】
これにより、たとえ、圃場の水分が多いために、ディスク対２９・３１の間を流れる土塊や根株等がガイドディスク２９ｂ・３１ｂの外側面に多く付着した場合でも、センタースクレーパ９２・９３の接触辺９２ｂ・９３ｂにより、回転するガイドディスク２９ｂ・３１ｂとともに上昇する土塊や根株等を機械的に掻き落とすことができるのである。
【００３４】
更に、施肥側センタースクレーパ９３の右側部９３ｅには、背面視逆Ｖ字状の施肥ディスク間スクレーパ９４の左側部９４ｂが固定されると共に、該施肥ディスク間スクレーパ９４の右側部９４ｃ下端の接触辺９４ａは、施肥作溝ディスク３１ａの左側面に当接されている。
【００３５】
そして、これらの接触辺８９ｃ、８９ｄ、９２ｂ、９３ｂ、９３ｃ、９４ａは、前述の如くディスク側面に当接されると共に、前記アウタースクレーパ４５と同様に、各スクレーパ自身の弾性等によってディスク側面側に押圧可能としている。
【００３６】
このような構成においては、たとえ圃場の水分が多くてディスクへの土の付着が著しい場合でも、ディスク側面に押圧された播種ディスク間スクレーパ８９の接触辺８９ｃ、８９ｄにより、回転するディスク２９ａ・２９ｂとともに上昇する土等を機械的に掻き落とすことができる。施肥ディスク対３１においても同様であり、一部がディスク間スクレーパとして機能する施肥側センタースクレーパ９３の接触辺９３ｃと、施肥ディスク間スクレーパ９４の接触辺９４ａとによって、回転するディスク３１ａ・３１ｂに付着して一緒に上昇する土等を機械的に掻き落とすことができるのである。
【００３７】
すなわち、播種装置８と施肥装置１０を設け、該播種装置８と施肥装置１０の下方に、播種溝と施肥溝を形成する作溝器１１として、前端を閉じたＶ字状の播種用のディスク対２９と施肥用のディスク対３１とを並設した施肥播種機３において、両ディスク対２９・３１のうち少なくとも一方のディスク対の内部空間に、ディスク側面に押圧して土、株、藁等を機械的に掻き落とすディスク間スクレーパ８９・９４を配設したので、ディスク側面へ付着した土等をディスクの回転を利用して確実に除去することができ、ディスクの作溝能力の低下や土の塊状化を防止し、掘削中に排除される土の流れを円滑にして作溝能力の向上を図ることができる。
【００３８】
また、これらのディスク間スクレーパ８９・９４のうち、播種ディスク間スクレーパ８９は播種パイプ１０ｃにより支持され、施肥ディスク間スクレーパ９４は、施肥側センタースクレーパ９３を介して前記保護部材２８に連結支持されており、いずれのディスク間スクレーパ８９・９４も、新たな支持部材を別途設ける必要がなく、簡単な構成でディスク間に配設することができるのである。
【００３９】
すなわち、ディスク対２９・３１の間には、土塊や根株等を外に誘導する保護部材２８を設け、該保護部材２８により、施肥ディスク間スクレーパ９４を支持可能な構成とするので、ディスク間スクレーパを簡単な構成で支持することができ、部材コストの低減、機体サイズのコンパクト化を図ることができる。
【００４０】
更に、ディスク対２９・３１の間には、保護部材２８と共にセンタースクレーパ９２・９３も配設して作溝能力の一層の向上を図るようにしているが、該センタースクレーパ９２・９３も、施肥ディスク間スクレーパ９４と同様に、保護部材２８により支持されているため、新たな支持構成を別途設ける必要がなく、簡単な構成で左右のディスク対２９・３１の間に配設することができる。
【００４１】
すなわち、ディスク対２９・３１の間には、土塊や根株等を外に誘導する保護部材２８と共にセンタースクレーパ９２・９３を設け、該保護部材２８により、センタースクレーパ９２・９３を支持可能な構成とするので、ディスク間スクレーパに加え、左右のディスク対２９・３１の間のセンタースクレーパ９２・９３も、簡単な構成で支持することができ、部材コストの増加や機体サイズの拡大を招くことなく、作溝能力の一層の向上を図ることができるのである。
【００４２】
また、前記各接触辺は、ディスクの回転方向に対し、次のような姿勢に保持するようにしている。
例えば、図１４に示すように、播種側センタースクレーパ９２の接触辺９２ｂは、ガイドディスク２９ｂのディスク半径９８に対し、所定の傾斜角９８ａで後ろ斜め上方に傾斜した姿勢に保持固定されている。
【００４３】
このような構成において、施肥播種機３が進行すると、ガイドディスク２９ｂは播種用ガイド軸８６を中心に矢印方向に回転し、該ガイドディスク２９ｂ側面に付着した土等も、一緒に上昇して一旦接触辺９２ｂ下面に衝突し、その後、該土等は、接触辺９２ｂに沿いながら後方（図中右側）に移動して迅速に排出される。
【００４４】
図１５、図１６に示すように、施肥側センタースクレーパ９３、施肥ディスク間スクレーパ９４においても、各接触辺９３ｃ、９４ａは、ガイドディスク３１ｂのディスク半径９９と施肥作溝ディスク３１ａのディスク半径１００に対し、それぞれ所定の傾斜角９９ａ、１００ａで後ろ斜め上方に傾斜した姿勢に保持固定されている。なお、他の接触辺についても、同様な構成により土等を円滑に後方排除することができる。
【００４５】
すなわち、各種スクレーパ８９・９２・９３・９４がディスク側面に接する接触辺８９ｃ、８９ｄ、９２ｂ、９３ｂ、９３ｃ、９４ａは、該接触辺８９ｃ、８９ｄ、９２ｂ、９３ｂ、９３ｃ、９４ａを通るディスク半径９８・９９・１００に対し、後ろ斜め上方に傾斜するので、ディスクの回転を利用してスクレーパに掻き取られた土等を、接触部の下面に沿って後方に移動させて滞留させることなく迅速に排出することができ、作溝能力の一層の向上を図ることができるのである。
【００４６】
なお、以上の構成においては、種子は播種ディスク対２９により形成された播種溝のみに落下するようにしているが、条間が狭い場合には、図１８に示すように、前後に施肥装置８と播種装置１０を配置した上で施肥装置８の肥料ホッパー８ａ内に肥料の代わりに種子を入れて、施肥ディスク対３１内の施肥パイプ８ｄから種子を施肥溝に落下させたり、図１９に示すように、前方の施肥装置８の位置に別途新たに播種装置１５を配設し、施肥ディスク対３１内に設けた播種パイプ１５ａから種子を施肥溝に落下させたり、図２０に示すように、播種装置１０からの種子搬送経路を分岐シュート等で分岐させて、一方を前記播種パイプ１０ｃに他方を施肥ディスク対３１内に設けた第２播種パイプ１０ｄに連通して、種子を施肥溝にも落下させるようにすることができる。なお、この場合は、施肥パイプ８ｄはディスク対２９・３１の間に配置して、肥料を散布するようにしている。これにより、隣接した施肥溝と播種溝の双方に種子を投入することができるのである。
【００４７】
すなわち、前記施肥溝には、肥料の代わりに種子を投入可能な構成とするので、近接した溝内への播種が可能となり、密条播種に対応して採取効率の大幅な向上を図ることができるのである。
【００４８】
【発明の効果】
本発明は、以上のように構成したので、以下に示す効果を奏する。
すなわち、請求項１においては、播種装置と施肥装置を設け、該播種装置と施肥装置の下方に、播種溝と施肥溝を形成する作溝器として、前端を閉じたＶ字状の播種用のディスク対と施肥用のディスク対とを並設した施肥播種機において、両ディスク対のうち少なくとも一方のディスク対の内部空間に、ディスク側面に押圧して土、株、藁等を機械的に掻き落とすディスク間スクレーパを配設したので、ディスク側面へ付着した土等をディスクの回転を利用して確実に除去することができ、ディスクの作溝能力の低下や土の塊状化を防止し、掘削中に排除される土の流れを円滑にして作溝能力の向上を図ることができる。
【００４９】
請求項２においては、請求項１記載のディスク対の間には、土塊や根株等を外に誘導する保護部材を設け、該保護部材により、前記ディスク間スクレーパを支持可能な構成とするので、ディスク間スクレーパを簡単な構成で支持することができ、部材コストの低減、機体サイズのコンパクト化を図ることができる。
【００５０】
請求項３においては、請求項１又は請求項２記載のディスク対の間には、土塊や根株等を外に誘導する保護部材と共にセンタースクレーパを設け、該保護部材により、センタースクレーパを支持可能な構成とするので、ディスク間スクレーパに加え、左右のディスク対の間のセンタースクレーパも、簡単な構成で支持することができ、部材コストの増加や機体サイズの拡大を招くことなく、作溝能力の一層の向上を図ることができるのである。
【００５１】
請求項４においては、請求項１乃至請求項３のうちいずれか一つに記載の各種スクレーパがディスク側面に接する接触辺は、該接触辺を通るディスク半径に対し、後ろ斜め上方に傾斜する構成とするので、ディスクの回転を利用してスクレーパに掻き取られた土等を、接触部の下面に沿って後方に移動させて滞留させることなく迅速に排出することができ、作溝能力の一層の向上を図ることができる。
【００５２】
請求項５においては、請求項１乃至請求項４のうちいずれか一つに記載の施肥溝には、肥料の代わりに種子を投入可能な構成とするので、近接した溝内への播種が可能となり、密条播種に対応して採取効率の大幅な向上を図ることができるのである。
【図面の簡単な説明】
【図１】本発明の施肥播種機をトラクタの後部に装着した状態の斜視図である。
【図２】薬剤散布装置の側面図である。
【図３】施肥播種装置の側面一部断面図である。
【図４】接地輪の側面一部断面図である。
【図５】各ディスク対の支持構成を示す平面図である。
【図６】各ディスク対の配置構成を示す平面図である。
【図７】播種ディスク対の内側のスクレーパの配置状況を示す側面図である。
【図８】ディスク対の間におけるスクレーパの配置状況を示す側面図である。
【図９】施肥ディスク対の内側のスクレーパの配置状況を示す側面図である。
【図１０】保護部材への各種スクレーパの支持構成を示す側面図である。
【図１１】ディスク対と各種スクレーパの配置関係を示す平面図である。
【図１２】各種スクレーパの平面図である。
【図１３】同じく背面図である。
【図１４】播種側センタースクレーパの接触辺の傾斜姿勢を示す側面図である。
【図１５】施肥側センタースクレーパの接触辺の傾斜姿勢を示す側面図である。
【図１６】施肥ディスク間スクレーパの接触辺の傾斜姿勢を示す側面図である。
【図１７】肥料のガイド部分の構成を示し、図１７（ａ）は該ガイド部分の側面図、図１７（ｂ）は同じく背面図である。
【図１８】前後に施肥装置と播種装置を配設した配置構成を示す平面模式図である。
【図１９】前後とも播種装置を配設した配置構成を示す平面模式図である。
【図２０】播種装置の種子の搬送経路を分岐した場合の経路構成を示す平面模式図である。
【符号の説明】
３  施肥播種機
８  播種装置８
１０  施肥装置
１１  作溝器
２８  保護部材
２９  播種用のディスク対
３１  施肥用のディスク対
８９・９４  ディスク間スクレーパ
８９ｃ・８９ｄ・９２ｂ・９３ｂ・９３ｃ・９４ａ  接触辺
９２・９３  センタースクレーパ
９８・９９・１００  ディスク半径
【図１】
2004298028.tif 000003
【図２】
2004298028.tif 000004
【図３】
2004298028.tif 000005
【図４】
2004298028.tif 000006
【図５】
2004298028.tif 000007
【図６】
2004298028.tif 000008
【図７】
2004298028.tif 000009
【図８】
2004298028.tif 000010
【図９】
2004298028.tif 000011
【図１０】
2004298028.tif 000012
【図１１】
2004298028.tif 000013
【図１２】
2004298028.tif 000014
【図１３】
2004298028.tif 000015
【図１４】
2004298028.tif 000016
【図１５】
2004298028.tif 000017
【図１６】
2004298028.tif 000018
【図１７】
2004298028.tif 000019
【図１８】
2004298028.tif 000020
【図１９】
2004298028.tif 000021
【図２０】
2004298028.tif 000022